(57)【特許請求の範囲】
【請求項１】
第１給電端子と、
前記第１給電端子に第１端子が接続され、第２端子から基準位相の高周波信号が出力され、第３端子から使用周波数において第２端子の高周波信号の位相から９０度の遅れ位相の高周波信号が出力される第１導波管型ハイブリッド回路と、
この第１導波管型ハイブリッド回路の第２端子に第１端子が接続され、第２端子から基準位相の高周波信号が出力され、第３端子から使用周波数において第２端子の高周波信号の位相から９０度の遅れ位相の高周波信号が出力される第２導波管型ハイブリッド回路と、
この第２導波管型ハイブリッド回路の第２端子からの高周波信号が入力し、使用周波数において高周波信号の偏波を一方の方向に第１の角度で回転させて出力する第１導波管型偏波変換器と、
この第１導波管型偏波変換器からの高周波信号が入力し、使用周波数において高周波信号の偏波を前記一方の方向とは反対方向の他方の方向に前記第１の角度で回転させて出力する第２導波管型偏波変換器と、
前記第２導波管型ハイブリッド回路の第３端子からの高周波信号が入力し、使用周波数において高周波信号の偏波を前記一方の方向に第２の角度で回転させて出力する第３導波管型偏波変換器と、
この第３導波管型偏波変換器からの高周波信号が入力し、使用周波数において高周波信号の偏波を前記他方の方向に前記第２の角度で回転させて出力する第４導波管型偏波変換器と、
前記第１導波管型ハイブリッド回路の第３端子に第１端子が接続され、第２端子から基準位相の高周波信号が出力され、第３端子から使用周波数において第２端子の高周波信号の位相から９０度の遅れ位相の高周波信号が出力される第３導波管型ハイブリッド回路と、
この第３導波管型ハイブリッド回路の第３端子からの高周波信号が入力し、使用周波数において高周波信号の偏波を前記一方の方向に第３の角度で回転させて出力する第５導波管型偏波変換器と、
この第５導波管型偏波変換器からの高周波信号が入力し、使用周波数において高周波信号の偏波を前記他方の方向に前記第３の角度で回転させて出力する第６導波管型偏波変換器と、
前記第３導波管型ハイブリッド回路の第２端子からの高周波信号が入力し、使用周波数において高周波信号の偏波を前記他方の方向に第４の角度で回転させて出力する第７導波管型偏波変換器と、
この第７導波管型偏波変換器からの高周波信号が入力し、使用周波数において高周波信号の偏波を前記他方の方向に１８０度と前記第４の角度との差分の角度で回転させて出力する第８導波管型偏波変換器と、
前記第２導波管型偏波変換器からの高周波信号を入力する第１分岐端子、前記第４導波管型偏波変換器からの高周波信号を入力する第２分岐端子、前記第６導波管型偏波変換器からの高周波信号入力する第３分岐端子及び前記第８導波管型偏波変換器からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、
を備えたアンテナ給電回路。
【請求項２】
第２給電端子と、
前記第２給電端子に第１端子が接続され、第２端子から基準位相の高周波信号が出力され、第３端子から使用周波数において第２端子の高周波信号の位相から９０度の遅れ位相の高周波信号が出力される第４導波管型ハイブリッド回路と、
この第４導波管型ハイブリッド回路の第２端子に第４端子が接続され、第３端子から基準位相の高周波信号が出力され、第２端子から使用周波数において第３端子の高周波信号の位相から９０度の遅れ位相の高周波信号が出力される第３導波管型ハイブリッド回路と、
この第３導波管型ハイブリッド回路の第３端子からの高周波信号が入力し、使用周波数において高周波信号の偏波を一方の方向に第３の角度で回転させて出力する第５導波管型偏波変換器と、
この第５導波管型偏波変換器からの高周波信号が入力し、使用周波数において高周波信号の偏波を前記一方の方向とは反対方向の他方の方向に前記第３の角度で回転させて出力する第６導波管型偏波変換器と、
前記第３導波管型ハイブリッド回路の第２端子からの高周波信号が入力し、使用周波数において高周波信号の偏波を前記他方の方向に第４の角度で回転させて出力する第７導波管型偏波変換器と、
この第７導波管型偏波変換器からの高周波信号が入力し、使用周波数において高周波信号の偏波を前記他方の方向に１８０度と前記第４の角度との差分の角度で回転させて出力する第８導波管型偏波変換器と、
前記第４導波管型ハイブリッド回路の第３端子に第４端子が接続され、第３端子から基準位相の高周波信号が出力され、第２端子から使用周波数において第３端子の高周波信号の位相から９０度の遅れ位相の高周波信号が出力される第２導波管型ハイブリッド回路と、
この第２導波管型ハイブリッド回路の第２端子からの高周波信号が入力し、使用周波数において高周波信号の偏波を前記一方の方向に第１の角度で回転させて出力する第１導波管型偏波変換器と、
この第１導波管型偏波変換器からの高周波信号が入力し、使用周波数において高周波信号の偏波を前記他方の方向に前記第１の角度で回転させて出力する第２導波管型偏波変換器と、
前記第２導波管型ハイブリッド回路の第３端子からの高周波信号が入力し、使用周波数において高周波信号の偏波を前記一方の方向に第２の角度で回転させて出力する第３導波管型偏波変換器と、
この第３導波管型偏波変換器からの高周波信号が入力し、使用周波数において高周波信号の偏波を前記他方の方向に前記第２の角度で回転させて出力する第４導波管型偏波変換器と、
前記第６導波管型偏波変換器からの高周波信号を入力する第３分岐端子、前記第４導波管型偏波変換器からの高周波信号を入力する第２分岐端子、前記第２導波管型偏波変換器からの高周波信号を入力する第１分岐端子及び前記第８導波管型偏波変換器からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、
を備えたアンテナ給電回路。
【請求項３】
前記第１の角度、前記第２の角度、前記第３の角度及び前記第４の角度は、９０度である請求項１又は２に記載のアンテナ給電回路。
【請求項４】
第１給電端子と、
前記第１給電端子に第１端子が接続され、第２端子から基準位相の高周波信号が出力され、第３端子から使用周波数において第２端子の高周波信号の位相から９０度の遅れ位相の高周波信号が出力される第１導波管型ハイブリッド回路と、
この第１導波管型ハイブリッド回路の第２端子に第１端子が接続され、第２端子から基準位相の高周波信号が出力され、第３端子から使用周波数において第２端子の高周波信号の位相から９０度の遅れ位相の高周波信号が出力される第２導波管型ハイブリッド回路と、
この第２導波管型ハイブリッド回路の第２端子からの高周波信号が入力し、使用周波数において高周波信号の偏波を同一の角度で互いに反対の方向に回転させることにより入力した高周波信号の偏波のままで出力する第１、第２導波管型偏波変換器の組と、
前記第２導波管型ハイブリッド回路の第３端子からの高周波信号が入力し、使用周波数において高周波信号の偏波を同一の角度で互いに反対の方向に回転させることにより入力した高周波信号の偏波のままで出力する第３、第４導波管型偏波変換器の組と、
前記第１導波管型ハイブリッド回路の第３端子に第１端子が接続され、第２端子から基準位相の高周波信号が出力され、第３端子から使用周波数において第２端子の高周波信号の位相から９０度の遅れ位相の高周波信号が出力される第３導波管型ハイブリッド回路と、
この第３導波管型ハイブリッド回路の第３端子からの高周波信号が入力し、使用周波数において高周波信号の偏波を同一の角度で互いに反対の方向に回転させることにより入力した高周波信号の偏波のままで出力する第５、第６導波管型偏波変換器の組と、
前記第３導波管型ハイブリッド回路の第２端子からの高周波信号が入力し、使用周波数において高周波信号の偏波を同一の方向に回転させることにより入力した高周波信号の偏波を反転させて出力する第７、第８導波管型偏波変換器の組と、
前記第１、第２導波管型偏波変換器の組からの高周波信号を入力する第１分岐端子、前記第３、第４導波管型偏波変換器の組からの高周波信号を入力する第２分岐端子、前記第５、第６導波管型偏波変換器の組からの高周波信号入力する第３分岐端子及び前記第７、第８導波管型偏波変換器の組からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、
を備えたアンテナ給電回路。
【請求項５】
第２給電端子と、
前記第２給電端子に第１端子が接続され、第２端子から基準位相の高周波信号が出力され、第３端子から使用周波数において第２端子の高周波信号の位相から９０度の遅れ位相の高周波信号が出力される第４導波管型ハイブリッド回路と、
この第４導波管型ハイブリッド回路の第２端子に第４端子が接続され、第３端子から基準位相の高周波信号が出力され、第２端子から使用周波数において第３端子の高周波信号の位相から９０度の遅れ位相の高周波信号が出力される第３導波管型ハイブリッド回路と、
この第３導波管型ハイブリッド回路の第３端子からの高周波信号が入力し、使用周波数において高周波信号の偏波を同一の角度で互いに反対の方向に回転させることにより入力した高周波信号の偏波のままで出力する第５、第６導波管型偏波変換器の組と、
前記第３導波管型ハイブリッド回路の第２端子からの高周波信号が入力し、使用周波数において高周波信号の偏波を同一の方向に回転させることにより入力した高周波信号の偏波を反転させて出力する第７、第８導波管型偏波変換器の組と、
前記第４導波管型ハイブリッド回路の第３端子に第４端子が接続され、第３端子から基準位相の高周波信号が出力され、第２端子から使用周波数において第３端子の高周波信号の位相から９０度の遅れ位相の高周波信号が出力される第２導波管型ハイブリッド回路と、
この第２導波管型ハイブリッド回路の第２端子からの高周波信号が入力し、使用周波数において高周波信号の偏波を同一の角度で互いに反対の方向に回転させることにより入力した高周波信号の偏波のままで出力する第１、第２導波管型偏波変換器の組と、
前記第２導波管型ハイブリッド回路の第３端子からの高周波信号が入力し、使用周波数において高周波信号の偏波を同一の角度で互いに反対の方向に回転させることにより入力した高周波信号の偏波のままで出力する第３、第４導波管型偏波変換器の組と、
前記第５、第６導波管型偏波変換器の組からの高周波信号を入力する第３分岐端子、前記第３、第４導波管型偏波変換器の組からの高周波信号を入力する第２分岐端子、前記第１、第２導波管型偏波変換器の組からの高周波信号を入力する第１分岐端子及び前記第７、第８導波管型偏波変換器の組からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、
を備えたアンテナ給電回路。
【請求項６】
前記第１導波管型偏波変換器、前記第２導波管型偏波変換器、前記第３導波管型偏波変換器、前記第４導波管型偏波変換器、前記第５導波管型偏波変換器、前記第６導波管型偏波変換器、前記第７導波管型偏波変換器及び前記第８導波管型偏波変換器の偏波の回転角度は、９０度である請求項４又は５に記載のアンテナ給電回路。
【請求項７】
主導波管は、導波管型群分波器を備えたものである請求項１から６のいずれか１項に記載のアンテナ給電回路。
【請求項８】
主導波管は、直交偏波分離器を備えたものである請求項１から６のいずれか１項に記載のアンテナ給電回路。
【発明の詳細な説明】
【技術分野】
【０００１】
この発明は、円偏波を生成するアンテナ給電回路に関するものである。
【背景技術】
【０００２】
特開２００９−２７５９１号公報（特許文献１参照）には、ＯＭＪ１０１と、分岐導波管１０１ａ〜１０１ｄにそれぞれ接続されたフィルタ１０２ａ〜１０２ｄと、フィルタ１０２ａ、ｂにそれぞれ接続され、通過する電波の位相差が互いに９０度となる移相器１０３ａ、１０４ａと、フィルタ１０２ｃ、ｄにそれぞれ接続され、通過する電波の位相差が互いに９０度となる移相器１０３ｂ、１０４ｂと、移相器１０３ａ、１０４ａに接続されたマジックＴ１０５と、移相器１０３ｂ、１０４ｂに接続されたマジックＴ１０６と、マジックＴ１０５、１０６から出力された電波を合成するＨ面Ｔ分岐回路１０７と、マジックＴ１０５、１０６から出力された電波を合成するＥ面Ｔ分岐回路１０８とを設けたアンテナ給電回路が記載されている。
【先行技術文献】
【特許文献】
【０００３】
【特許文献１】特開２００９−２７５９１号公報
【特許文献２】特許第３８８４７２５号公報
【発明の概要】
【発明が解決しようとする課題】
【０００４】
特許文献１に係るアンテナ給電回路は、移相器を使用して位相差を確保するため周波数特性が狭帯域であり、マジックＴを用いた合成のため合成回路を３次元的に構成することになり、アンテナ給電回路が大型化する課題があった。【０００５】
この発明は上述のような課題を解決するためになされたものであり、広帯域な周波数特性を有し、薄型化が可能なアンテナ給電回路を得ることを目的とする。
【課題を解決するための手段】
【０００６】
この発明に係るアンテナ給電回路は、第１給電端子と、前記第１給電端子に第１端子が接続され、第２端子から基準位相の高周波信号が出力され、第３端子から使用周波数において第２端子の高周波信号の位相から９０度の遅れ位相の高周波信号が出力される第１導波管型ハイブリッド回路と、この第１導波管型ハイブリッド回路の第２端子に第１端子が接続され、第２端子から基準位相の高周波信号が出力され、第３端子から使用周波数において第２端子の高周波信号の位相から９０度の遅れ位相の高周波信号が出力される第２導波管型ハイブリッド回路と、この第２導波管型ハイブリッド回路の第２端子からの高周波信号が入力し、使用周波数において高周波信号の偏波を一方の方向に第１の角度で回転させて出力する第１導波管型偏波変換器と、この第１導波管型偏波変換器からの高周波信号が入力し、使用周波数において高周波信号の偏波を前記一方の方向とは反対方向の他方の方向に前記第１の角度で回転させて出力する第２導波管型偏波変換器と、前記第２導波管型ハイブリッド回路の第３端子からの高周波信号が入力し、使用周波数において高周波信号の偏波を前記一方の方向に第２の角度で回転させて出力する第３導波管型偏波変換器と、この第３導波管型偏波変換器からの高周波信号が入力し、使用周波数において高周波信号の偏波を前記他方の方向に前記第２の角度で回転させて出力する第４導波管型偏波変換器と、前記第１導波管型ハイブリッド回路の第３端子に第１端子が接続され、第２端子から基準位相の高周波信号が出力され、第３端子から使用周波数において第２端子の高周波信号の位相から９０度の遅れ位相の高周波信号が出力される第３導波管型ハイブリッド回路と、この第３導波管型ハイブリッド回路の第３端子からの高周波信号が入力し、使用周波数において高周波信号の偏波を前記一方の方向に第３の角度で回転させて出力する第５導波管型偏波変換器と、この第５導波管型偏波変換器からの高周波信号が入力し、使用周波数において高周波信号の偏波を前記他方の方向に前記第３の角度で回転させて出力する第６導波管型偏波変換器と、前記第３導波管型ハイブリッド回路の第２端子からの高周波信号が入力し、使用周波数において高周波信号の偏波を前記他方の方向に第４の角度で回転させて出力する第７導波管型偏波変換器と、この第７導波管型偏波変換器からの高周波信号が入力し、使用周波数において高周波信号の偏波を前記他方の方向に１８０度と前記第４の角度との差分の角度で回転させて出力する第８導波管型偏波変換器と、前記第２導波管型偏波変換器からの高周波信号を入力する第１分岐端子、前記第４導波管型偏波変換器からの高周波信号を入力する第２分岐端子、前記第６導波管型偏波変換器からの高周波信号入力する第３分岐端子及び前記第８導波管型偏波変換器からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、を備えたものである。
【０００７】
また、この発明に係るアンテナ給電回路は、第２給電端子と、前記第２給電端子に第１端子が接続され、第２端子から基準位相の高周波信号が出力され、第３端子から使用周波数において第２端子の高周波信号の位相から９０度の遅れ位相の高周波信号が出力される第４導波管型ハイブリッド回路と、この第４導波管型ハイブリッド回路の第２端子に第４端子が接続され、第３端子から基準位相の高周波信号が出力され、第２端子から使用周波数において第３端子の高周波信号の位相から９０度の遅れ位相の高周波信号が出力される第３導波管型ハイブリッド回路と、この第３導波管型ハイブリッド回路の第３端子からの高周波信号が入力し、使用周波数において高周波信号の偏波を一方の方向に第３の角度で回転させて出力する第５導波管型偏波変換器と、この第５導波管型偏波変換器からの高周波信号が入力し、使用周波数において高周波信号の偏波を前記一方の方向とは反対方向の他方の方向に前記第３の角度で回転させて出力する第６導波管型偏波変換器と、前記第３導波管型ハイブリッド回路の第２端子からの高周波信号が入力し、使用周波数において高周波信号の偏波を前記他方の方向に第４の角度で回転させて出力する第７導波管型偏波変換器と、この第７導波管型偏波変換器からの高周波信号が入力し、使用周波数において高周波信号の偏波を前記他方の方向に１８０度と前記第４の角度との差分の角度で回転させて出力する第８導波管型偏波変換器と、前記第４導波管型ハイブリッド回路の第３端子に第４端子が接続され、第３端子から基準位相の高周波信号が出力され、第２端子から使用周波数において第３端子の高周波信号の位相から９０度の遅れ位相の高周波信号が出力される第２導波管型ハイブリッド回路と、この第２導波管型ハイブリッド回路の第２端子からの高周波信号が入力し、使用周波数において高周波信号の偏波を前記一方の方向に第１の角度で回転させて出力する第１導波管型偏波変換器と、この第１導波管型偏波変換器からの高周波信号が入力し、使用周波数において高周波信号の偏波を前記他方の方向に前記第１の角度で回転させて出力する第２導波管型偏波変換器と、前記第２導波管型ハイブリッド回路の第３端子からの高周波信号が入力し、使用周波数において高周波信号の偏波を前記一方の方向に第２の角度で回転させて出力する第３導波管型偏波変換器と、この第３導波管型偏波変換器からの高周波信号が入力し、使用周波数において高周波信号の偏波を前記他方の方向に前記第２の角度で回転させて出力する第４導波管型偏波変換器と、前記第６導波管型偏波変換器からの高周波信号を入力する第３分岐端子、前記第４導波管型偏波変換器からの高周波信号を入力する第２分岐端子、前記第２導波管型偏波変換器からの高周波信号を入力する第１分岐端子及び前記第８導波管型偏波変換器からの高周波信号を入力する第４分岐端子を有し、前記第１分岐端子は前記第２分岐端子及び前記第４分岐端子にそれぞれ端子間の位相差が９０度で隣接し、前記第２分岐端子は前記第３分岐端子及び前記第１分岐端子にそれぞれ端子間の位相差が９０度で隣接し、前記第３分岐端子は前記第４分岐端子及び前記第２分岐端子にそれぞれ端子間の位相差が９０度で隣接し、前記第４分岐端子は前記第１分岐端子及び前記第３分岐端子にそれぞれ端子間の位相差が９０度で隣接する主導波管と、を備えたものである。
【発明の効果】
【０００８】
この発明に係るアンテナ給電回路は、導波管型ハイブリッド回路及び導波管型偏波変換器を用いて主導波管の各分岐端子に入力される高周波信号の位相差を得ているので、広帯域な周波数特性が得られ、２次元で回路が構成され薄型化が可能になる。
【図面の簡単な説明】
【０００９】
【図１】この発明の実施の形態１に係るアンテナ給電回路の回路図である。
【図２】この発明の実施の形態１に係るアンテナ給電回路の構成図である。
【図３】この発明の実施の形態２に係るアンテナ給電回路の回路図である。
【図４】この発明の実施の形態２に係るアンテナ給電回路の構成図である。
【図５】この発明の実施の形態３に係るアンテナ給電回路の回路図である。
【発明を実施するための形態】
【００１０】
実施の形態１．
この発明の実施の形態１に係るアンテナ給電回路について、図１及び図２を用いて説明する。図１は、この発明の実施の形態１に係るアンテナ給電回路の回路図である。図２は、この発明の実施の形態１に係るアンテナ給電回路の構成図である。図１及び図２において、アンテナ給電回路は、第１給電端子１と、第１給電端子１に第１端子２ａが接続され、第２端子２ｂから基準位相の高周波信号が出力され、第３端子２ｃから使用周波数において第２端子２ｂの高周波信号の位相から９０度の遅れ位相の高周波信号が出力される第１導波管型ハイブリッド回路２と、第１導波管型ハイブリッド回路２の第２端子２ｂに第１端子３ａが接続され、第２端子３ｂから基準位相の高周波信号が出力され、第３端子３ｃから使用周波数において第２端子３ｂの高周波信号の位相から９０度の遅れ位相の高周波信号が出力される第２導波管型ハイブリッド回路３と、第２導波管型ハイブリッド回路３の第２端子３ｂからの高周波信号が入力し、使用周波数において高周波信号の偏波を一方の方向に（例えば、右回転）９０度回転させて出力する第１導波管型偏波変換器４と、第１導波管型偏波変換器４からの高周波信号が入力し、使用周波数において高周波信号の偏波を一方の方向とは反対方向の他方の方向に（例えば、左回転）９０度回転させて出力する第２導波管型偏波変換器５と、第１導波管型偏波変換器４と第２導波管型偏波変換器５とを接続する導波管６と、第２導波管型偏波変換器５から出力された高周波信号の不要波を除去する導波管型ローパスフィルタ７を備えている。
【００１１】
さらに、第２導波管型ハイブリッド回路３の第３端子３ｃからの高周波信号が入力し、使用周波数において高周波信号の偏波を一方の方向に９０度回転させて出力する第３導波管型偏波変換器８と、第３導波管型偏波変換器８からの高周波信号が入力し、使用周波数において高周波信号の偏波を他方の方向に９０度回転させて出力する第４導波管型偏波変換器９と、第３導波管型偏波変換器８と第４導波管型偏波変換器９とを接続する導波管１０と、第４導波管型偏波変換器９から出力された高周波信号の不要波を除去する導波管型ローパスフィルタ１１を備えている。
【００１２】
さらに、第１導波管型ハイブリッド回路２の第３端子２ｃに第１端子１２ａが接続され、第２端子１２ｂから基準位相の高周波信号が出力され、第３端子１２ｃから使用周波数において第２端子１２ｂの高周波信号の位相から９０度の遅れ位相の高周波信号が出力される第３導波管型ハイブリッド回路１２と、第３導波管型ハイブリッド回路１２の第３端子１２ｃからの高周波信号が入力し、使用周波数において高周波信号の偏波を一方の方向に９０度回転させて出力する第５導波管型偏波変換器１３と、第５導波管型偏波変換器１３からの高周波信号が入力し、使用周波数において高周波信号の偏波を他方の方向に９０度回転させて出力する第６導波管型偏波変換器１４と、第５導波管型偏波変換器１３と第６導波管型偏波変換器１４とを接続する導波管１５と、第６導波管型偏波変換器１４から出力された高周波信号の不要波を除去する導波管型ローパスフィルタ１６を備えている。
【００１３】
さらに、第３導波管型ハイブリッド回路１２の第２端子１２ｂからの高周波信号が入力し、使用周波数において高周波信号の偏波を他方の方向に９０度回転させて出力する第７導波管型偏波変換器１７と、第７導波管型偏波変換器１７からの高周波信号が入力し、使用周波数において高周波信号の偏波を他方の方向に９０度回転させて出力する第８導波管型偏波変換器１８と、第７導波管型偏波変換器１７と第８導波管型偏波変換器１８とを接続する導波管１９と、第８導波管型偏波変換器１８から出力された高周波信号の不要波を除去する導波管型ローパスフィルタ２０を備えている。
【００１４】
導波管型ローパスフィルタ７から出力された高周波信号は、主導波管２６に設けられている導波管型群分波器（ＯＭＪ）２１の第１分岐端子２１ａに入力し、導波管型ローパスフィルタ１１から出力された高周波信号は、導波管型群分波器（ＯＭＪ）２１の第２分岐端子２１ｂに入力し、導波管型ローパスフィルタ１６から出力された高周波信号は、導波管型群分波器（ＯＭＪ）２１の第３分岐端子２１ｃに入力し、導波管型ローパスフィルタ２０から出力された高周波信号は、導波管型群分波器（ＯＭＪ）２１の第４分岐端子２１ｄに入力する。第１分岐端子２１ａ、第２分岐端子２１ｂ、第３分岐端子２１ｃ、第４分岐端子２１ｄは、隣接する端子間の位相差が９０度となるように、導波管型群分波器（ＯＭＪ）２１の管壁の外周方向に設置されている。なお、各分岐端子は、第１分岐端子２１ａ、第２分岐端子２１ｂ、第３分岐端子２１ｃ、第４分岐端子２１ｄ、第１分岐端子２１ａの順に隣接して設置されている。導波管型群分波器（ＯＭＪ）２１には、主導波管２６を介して、ホーンアンテナ３０が接続されている。
【００１５】
第３導波管型ハイブリッド回路１２の第４端子１２ｄは、第４導波管型ハイブリッド回路２２の基準位相高周波信号出力端子である第２端子２２ｂに接続され、第２導波管型ハイブリッド回路３の第４端子３ｄは、第４導波管型ハイブリッド回路２２の、使用周波数において第２端子２２ｂの高周波信号の位相から９０度の遅れ位相の高周波信号が出力される第３端子２２ｃに接続されている。第４導波管型ハイブリッド回路２２の第１端子２２ａは、もうひとつの給電端子である第２給電端子２３に接続されている。
【００１６】
第１導波管型ハイブリッド回路２、第２導波管型ハイブリッド回路３、第３導波管型ハイブリッド回路１２及び第４導波管型ハイブリッド回路２２の、高周波信号の伝送方向における機械的な寸法は同一であり、好ましくは同じ導波管型ハイブリッド回路を用いる。第１導波管型偏波変換器４、第２導波管型偏波変換器５、第３導波管型偏波変換器８、第４導波管型偏波変換器９、第５導波管型偏波変換器１３、第６導波管型偏波変換器１４、第７導波管型偏波変換器１７及び第８導波管型偏波変換器１８は、高周波信号の伝送方向における機械的な寸法が同一であり、特許第３８８４７２５号公報（特許文献２参照）に記載の導波管型偏波変換器、ツイスト導波管等の導波管型偏波変換器を用いている。
【００１７】
なお、第１導波管型ハイブリッド回路２の第４端子２ｄには、終端抵抗器２４が接続され、第４導波管型ハイブリッド回路２２の第４端子２２ｄには、終端抵抗器２５が接続されている。
【００１８】
この発明の実施の形態１に係るアンテナ給電回路の動作について説明する。動作の説明において、基準位相、遅れ位相等高周波信号の位相関係に係る説明が出てくるが、全て、使用周波数における高周波信号の位相関係について説明するものである。
【００１９】
第１給電端子１から入力した高周波信号は、第１導波管型ハイブリッド回路２の第１端子２ａに入力し、第２端子２ｂから基準位相で、第３端子２ｃから９０度遅れ位相でそれぞれ出力される。第２端子２ｂから基準位相で出力された高周波信号は、第２導波管型ハイブリッド回路３の第１端子３ａに入力し、第２端子３ｂから基準位相で、第３端子３ｃから９０度遅れ位相でそれぞれ出力される。
【００２０】
第２導波管型ハイブリッド回路３の第２端子３ｂから基準位相で出力された高周波信号は、第１導波管型偏波変換器４に入力し、第１導波管型偏波変換器４で偏波を一方の方向に９０度回転させて出力され、導波管６を介して第２導波管型偏波変換器５に入力し、第２導波管型偏波変換器５で偏波を一方の方向とは反対方向の他方の方向に９０度回転させて、第１導波管型偏波変換器４に入力したときの偏波に戻し、基準位相で出力される。この発明の実施の形態１における導波管型偏波変換器による９０度の偏波の回転とは、高周波信号の偏波を水平偏波から垂直偏波へと直交する偏波へ回転することであり、一方の方向への回転及び他方の方向への回転については、例えば、高周波信号の伝播方法において、右回転での偏波の回転を一方の方向への回転と定義した場合、反対方向の左回転での偏波の回転が他方の方向への回転と定義される。
【００２１】
第２導波管型偏波変換器５から出力された基準位相の高周波信号は、導波管型ローパスフィルタ７で高調波を除去した後、ＯＭＪ２１の第１分岐端子２１ａに入力する。
【００２２】
第２導波管型ハイブリッド回路３の第３端子３ｃから出力された９０度遅れ位相の高周波信号は、第３導波管型偏波変換器８に入力し、第３導波管型偏波変換器８で偏波を一方の方向に９０度回転させて出力され、導波管１０を介して第４導波管型偏波変換器９に入力し、第４導波管型偏波変換器９で偏波を他方の方向に９０度回転させて、第３導波管型偏波変換器８に入力したときの偏波に戻し、９０度遅れ位相のままで出力される。
【００２３】
第４導波管型偏波変換器９から出力された９０度遅れ位相の高周波信号は、導波管型ローパスフィルタ１１で高調波を除去した後、ＯＭＪ２１の第２分岐端子２１ｂに入力する。
【００２４】
第１導波管型ハイブリッド回路２の第３端子２ｃから９０度遅れ位相で出力された高周波信号は、第３導波管型ハイブリッド回路１２の第１端子１２ａに入力し、第２端子１２ｂから９０度遅れ位相のままで、第３端子１２ｃから更に９０度遅れて、１８０度遅れ位相で出力される。
【００２５】
第３導波管型ハイブリッド回路１２の第３端子１２ｃから出力された１８０度遅れ位相の高周波信号は、第５導波管型偏波変換器１３に入力し、第５導波管型偏波変換器１３で偏波を一方の方向に９０度回転させて出力され、導波管１５を介して第６導波管型偏波変換器１４に入力し、第６導波管型偏波変換器１４で偏波を他方の方向に９０度回転させて、第５導波管型偏波変換器１３に入力したときの偏波に戻し、１８０度遅れ位相のままで出力される。
【００２６】
第６導波管型偏波変換器１４から出力された１８０度遅れ位相の高周波信号は、導波管型ローパスフィルタ１６で高調波を除去した後、ＯＭＪ２１の第３分岐端子２１ｃに入力する。
【００２７】
第３導波管型ハイブリッド回路１２の第２端子１２ｂから９０度遅れ位相で出力された高周波信号は、第７導波管型偏波変換器１７に入力し、第７導波管型偏波変換器１７で他方の方向に９０度回転させて出力され、導波管１９を介して第８導波管型偏波変換器１８に入力し、第８導波管型偏波変換器１８で更に他方の方向に９０度回転させて、第７導波管型偏波変換器１７に入力したときの偏波と１８０度反対の偏波となるので、２７０度遅れ位相で出力される。
【００２８】
第８導波管型偏波変換器１８から出力された２７０度遅れ位相の高周波信号は、導波管型ローパスフィルタ２０で高調波を除去した後、ＯＭＪ２１の第４分岐端子２１ｄに入力する。
【００２９】
ＯＭＪ２１の、第１分岐端子２１ａ、第２分岐端子２１ｂ、第３分岐端子２１ｃ、第４分岐端子２１ｄに順に９０度ずつ位相が遅れた高周波信号がＯＭＪ２１に入力するので、ＯＭＪ２１に円偏波が発生する。図２においては、左回りに位相が遅れているので、紙面から見て左旋偏波が発生する。
【００３０】
第２給電端子２３に高周波信号を入力した場合は、同様の動作により、ＯＭＪ２１の第３分岐端子２１ｃに基準位相の高周波信号、第２分岐端子２１ｂに９０度遅れ位相の高周波信号、第１分岐端子２１ａに１８０度遅れ位相の高周波信号、第４分岐端子２１ｄに２７０度遅れ位相の高周波信号がＯＭＪ２１に入力するので、図２において、右回りに位相が遅れることになり、右旋偏波の円偏波が発生する。
【００３１】
右旋偏波の円偏波の発生動作について説明する。第２給電端子２３から入力した高周波信号は、第４導波管型ハイブリッド回路２２の第１端子２２ａに入力し、第２端子２２ｂから基準位相で、第３端子２２ｃから９０度遅れ位相でそれぞれ出力される。第２端子２２ｂから基準位相で出力された高周波信号は、第３導波管型ハイブリッド回路１２の第４端子１２ｄに入力し、第３端子１２ｃから基準位相で、第２端子１２ｂから９０度遅れ位相でそれぞれ出力される。
【００３２】
第３導波管型ハイブリッド回路１２の第３端子１２ｃから基準位相で出力された高周波信号は、第５導波管型偏波変換器１３に入力し、第５導波管型偏波変換器１３で偏波を一方の方向に９０度回転させて出力され、導波管１５を介して第６導波管型偏波変換器１４に入力し、第６導波管型偏波変換器１４で偏波を他方の方向に９０度回転させて、第５導波管型偏波変換器１３に入力したときの偏波に戻し、基準位相で出力される。
【００３３】
第６導波管型偏波変換器１４から出力された基準位相の高周波信号は、導波管型ローパスフィルタ１６で高調波を除去した後、ＯＭＪ２１の第３分岐端子２１ｃに入力する。
【００３４】
第３導波管型ハイブリッド回路１２の第２端子１２ｂから出力された９０度遅れ位相の高周波信号は、第７導波管型偏波変換器１７に入力し、第７導波管型偏波変換器１７で他方の方向に９０度回転させて出力され、導波管１９を介して第８導波管型偏波変換器１８に入力し、第８導波管型偏波変換器１８で更に他方の方向に９０度回転させて、第７導波管型偏波変換器１７に入力したときの偏波と１８０度反対の偏波となるので、２７０度遅れ位相で出力される。
【００３５】
第８導波管型偏波変換器１８から出力された２７０度遅れ位相の高周波信号は、導波管型ローパスフィルタ２０で高調波を除去した後、ＯＭＪ２１の第４分岐端子２１ｄに入力する。
【００３６】
第４導波管型ハイブリッド回路２２の第３端子２２ｃから９０度遅れ位相で出力された高周波信号は、第２導波管型ハイブリッド回路３の第４端子３ｄに入力し、第３端子３ｃから９０度遅れ位相のままで、第２端子３ｂから更に９０度遅れて、１８０度遅れ位相で出力される。
【００３７】
第２導波管型ハイブリッド回路３の第２端子３ｂから出力された１８０度遅れ位相の高周波信号は、第１導波管型偏波変換器４に入力し、第１導波管型偏波変換器４で偏波を一方の方向に９０度回転させて出力され、導波管６を介して第２導波管型偏波変換器５に入力し、第２導波管型偏波変換器５で偏波を他方の方向に９０度回転させて、第１導波管型偏波変換器４に入力したときの偏波に戻し、１８０度遅れ位相のままで出力される。
【００３８】
第２導波管型偏波変換器５から出力された１８０度遅れ位相の高周波信号は、導波管型ローパスフィルタ７で高調波を除去した後、ＯＭＪ２１の第１分岐端子２１ａに入力する。
【００３９】
第２導波管型ハイブリッド回路３の第３端子３ｃから９０度遅れ位相で出力された高周波信号は、第３導波管型偏波変換器８に入力し、第３導波管型偏波変換器８で偏波を一方の方向に９０度回転させて出力され、導波管１０を介して第４導波管型偏波変換器９に入力し、第４導波管型偏波変換器９で偏波を他方の方向に９０度回転させて、第３導波管型偏波変換器８に入力したときの偏波に戻し、９０度遅れ位相のままで出力される。
【００４０】
第４導波管型偏波変換器９から出力された９０度遅れ位相の高周波信号は、導波管型ローパスフィルタ１１で高調波を除去した後、ＯＭＪ２１の第２分岐端子２１ｂに入力する。
【００４１】
ＯＭＪ２１の、第３分岐端子２１ｃ、第２分岐端子２１ｂ、第１分岐端子２１ａ、第４分岐端子２１ｄに順に９０度ずつ位相が遅れた高周波信号がＯＭＪ２１に入力するので、ＯＭＪ２１に円偏波が発生する。図２においては、右回りに位相が遅れているので、紙面から見て右旋偏波が発生する。
【００４２】
この発明の実施の形態１に係るアンテナ給電回路は、高周波信号の位相変化を移相器を用いることで実施しているのではなく、特許第３８８４７２５号公報に記載の導波管型偏波変換器又はツイスト導波管等の導波管型偏波変換器を用いて高周波信号の偏波を回転させることによって実施しているので、移相器を用いる構成に比べて高周波信号の周波数特性が広帯域になる利点がある。また、導波管型ハイブリッド回路及び導波管型偏波変換器で構成されているため、２次元で回路が構成され、薄型化が可能になる利点がある。
【００４３】
この発明の実施の形態１に係るアンテナ給電回路は、受動素子である第１〜第４導波管型ハイブリッド回路、第１〜第８導波管型偏波変換器、導波管型ローパスフィルタ及び導波管を用いて構成しているため、可逆動作が可能であり、ＯＭＪ２１に右旋偏波の高周波信号が入力すると、第２給電端子から高周波信号が出力され、ＯＭＪ２１に左旋偏波の高周波信号が入力すると、第１給電端子から高周波信号が出力される。
【００４４】
この発明の実施の形態１に係るアンテナ給電回路は、第１導波管型偏波変換器４に入力する高周波信号の偏波と第２導波管型偏波変換器５から出力する高周波信号の偏波が等しくなるように、第１導波管型偏波変換器４の偏波の回転方向と第２導波管型偏波変換器５の偏波の回転方向とが逆になっていれば、回転の順番は、右回転及び左回転のいずれから始まっても良い。第３導波管型偏波変換器８と第４導波管型偏波変換器９との高周波信号に係る偏波の回転方向の関係、第５導波管型偏波変換器１３と第６導波管型偏波変換器１４との高周波信号に係る偏波の回転方向の関係も同様である。
【００４５】
第７導波管型偏波変換器１７と第８導波管型偏波変換器１８との関係については、第８導波管型偏波変換器１８から出力する高周波信号の偏波が、第７導波管型偏波変換器１７に入力する高周波信号の偏波と１８０度反転するように、第７導波管型偏波変換器１７と第８導波管型偏波変換器１８の偏波の回転方向が同じであれば、回転方向は、右回転及び左回転のいずれでも良い。
【００４６】
実施の形態２．
この発明の実施の形態１においては、主導波管に設けられたＯＭＪ２１に９０度ずつ位相が遅れた高周波信号を入力することにより円偏波を発生させていたが、ＯＭＪ２１の替わりに、主導波管に直交偏波分離器（ＯＭＴ）を設け、このＯＭＴに９０度ずつ位相が遅れた高周波信号を入力することにより円偏波を発生させても良い。
【００４７】
この発明の実施の形態２に係るアンテナ給電回路について、図３及び図４を用いて説明する。図３及び図４において、図１及び図２と同一若しくは同等の構成要素には同一符号を付し、その説明を省略する。
【００４８】
この発明の実施の形態２に係るアンテナ給電回路は、この発明の実施の形態１に係るアンテナ給電回路から、導波管型ローパスフィルタ７、導波管型ローパスフィルタ１１、導波管型ローパスフィルタ１６及び導波管型ローパスフィルタ２０を省略し、導波管型群分波器（ＯＭＪ）２１に替えて、直交偏波分離器（ＯＭＴ）４０が主導波管２６に設けられている。
【００４９】
従って、  第２導波管型偏波変換器５から出力された高周波信号は、主導波管２６に設けられている直交偏波分離器（ＯＭＴ）４０の第１分岐端子４０ａに入力し、第４導波管型偏波変換器９から出力された高周波信号は、直交偏波分離器（ＯＭＴ）４０の第２分岐端子４０ｂに入力し、第６導波管型偏波変換器１４から出力された高周波信号は、直交偏波分離器（ＯＭＴ）４０の第３分岐端子４０ｃに入力し、第８導波管型偏波変換器１８から出力された高周波信号は、直交偏波分離器（ＯＭＴ）４０の第４分岐端子４０ｄに入力する。第１分岐端子４０ａ、第２分岐端子４０ｂ、第３分岐端子４０ｃ、第４分岐端子４０ｄは、隣接する端子間の位相差が９０度となるように、直交偏波分離器（ＯＭＴ）４０に設置されている。なお、各分岐端子は、第１分岐端子４０ａ、第２分岐端子４０ｂ、第３分岐端子４０ｃ、第４分岐端子４０ｄ、第１分岐端子４０ａの順に隣接して設置されている。直交偏波分離器（ＯＭＴ）４０には、主導波管２６を介して、ホーンアンテナ３０が接続されている。
【００５０】
この発明の実施の形態２に係るアンテナ給電回路の動作について説明する。動作の説明において、基準位相、遅れ位相等高周波信号の位相関係に係る説明が出てくるが、全て、使用周波数における高周波信号の位相関係について説明するものである。
【００５１】
第１給電端子１から入力した高周波信号は、第１導波管型ハイブリッド回路２の第１端子２ａに入力し、第２端子２ｂから基準位相で、第３端子２ｃから９０度遅れ位相でそれぞれ出力される。第２端子２ｂから基準位相で出力された高周波信号は、第２導波管型ハイブリッド回路３の第１端子３ａに入力し、第２端子３ｂから基準位相で、第３端子３ｃから９０度遅れ位相でそれぞれ出力される。
【００５２】
第２導波管型ハイブリッド回路３の第２端子３ｂから基準位相で出力された高周波信号は、第１導波管型偏波変換器４に入力し、第１導波管型偏波変換器４で偏波を一方の方向に９０度回転させて出力され、導波管６を介して第２導波管型偏波変換器５に入力し、第２導波管型偏波変換器５で偏波を一方の方向とは反対方向の他方の方向に９０度回転させて、第１導波管型偏波変換器４に入力したときの偏波に戻し、基準位相で出力される。この発明の実施の形態１における導波管型偏波変換器による９０度の偏波の回転とは、高周波信号の偏波を水平偏波から垂直偏波へと直交する偏波へ回転することであり、一方の方向への回転及び他方の方向への回転については、例えば、高周波信号の伝播方法において、右回転での偏波の回転を一方の方向への回転と定義した場合、反対方向の左回転での偏波の回転が他方の方向への回転と定義される。
【００５３】
第２導波管型偏波変換器５から出力された基準位相の高周波信号は、ＯＭＴ４０の第１分岐端子４０ａに入力する。
【００５４】
第２導波管型ハイブリッド回路３の第３端子３ｃから出力された９０度遅れ位相の高周波信号は、第３導波管型偏波変換器８に入力し、第３導波管型偏波変換器８で偏波を一方の方向に９０度回転させて出力され、導波管１０を介して第４導波管型偏波変換器９に入力し、第４導波管型偏波変換器９で偏波を他方の方向に９０度回転させて、第３導波管型偏波変換器８に入力したときの偏波に戻し、９０度遅れ位相のままで出力される。
【００５５】
第４導波管型偏波変換器９から出力された９０度遅れ位相の高周波信号は、ＯＭＴ４０の第２分岐端子４０ｂに入力する。
【００５６】
第１導波管型ハイブリッド回路２の第３端子２ｃから９０度遅れ位相で出力された高周波信号は、第３導波管型ハイブリッド回路１２の第１端子１２ａに入力し、第２端子１２ｂから９０度遅れ位相のままで、第３端子１２ｃから更に９０度遅れて、１８０度遅れ位相で出力される。
【００５７】
第３導波管型ハイブリッド回路１２の第３端子１２ｃから出力された１８０度遅れ位相の高周波信号は、第５導波管型偏波変換器１３に入力し、第５導波管型偏波変換器１３で偏波を一方の方向に９０度回転させて出力され、導波管１５を介して第６導波管型偏波変換器１４に入力し、第６導波管型偏波変換器１４で偏波を他方の方向に９０度回転させて、第５導波管型偏波変換器１３に入力したときの偏波に戻し、１８０度遅れ位相のままで出力される。
【００５８】
第６導波管型偏波変換器１４から出力された１８０度遅れ位相の高周波信号は、ＯＭＴ４０の第３分岐端子４０ｃに入力する。
【００５９】
第３導波管型ハイブリッド回路１２の第２端子１２ｂから９０度遅れ位相で出力された高周波信号は、第７導波管型偏波変換器１７に入力し、第７導波管型偏波変換器１７で他方の方向に９０度回転させて出力され、導波管１９を介して第８導波管型偏波変換器１８に入力し、第８導波管型偏波変換器１８で更に他方の方向に９０度回転させて、第７導波管型偏波変換器１７に入力したときの偏波と１８０度反対の偏波となるので、２７０度遅れ位相で出力される。
【００６０】
第８導波管型偏波変換器１８から出力された２７０度遅れ位相の高周波信号は、ＯＭＴ４０の第４分岐端子４０ｄに入力する。
【００６１】
ＯＭＴ４０の、第１分岐端子４０ａ、第２分岐端子４０ｂ、第３分岐端子４０ｃ、第４分岐端子４０ｄに順に９０度ずつ位相が遅れた高周波信号がＯＭＴ４０に入力するので、ＯＭＴ４０に円偏波が発生する。図４においては、左回りに位相が遅れているので、紙面から見て左旋偏波が発生する。
【００６２】
第２給電端子２３に高周波信号を入力した場合は、同様の動作により、ＯＭＴ４０の第３分岐端子４０ｃに基準位相の高周波信号、第２分岐端子４０ｂに９０度遅れ位相の高周波信号、第１分岐端子４０ａに１８０度遅れ位相の高周波信号、第４分岐端子４０ｄに２７０度遅れ位相の高周波信号がＯＭＴ４０に入力するので、図４において、右回りに位相が遅れることになり、右旋偏波の円偏波が発生する。
【００６３】
右旋偏波の円偏波の発生動作について説明する。第２給電端子２３から入力した高周波信号は、第４導波管型ハイブリッド回路２２の第１端子２２ａに入力し、第２端子２２ｂから基準位相で、第３端子２２ｃから９０度遅れ位相でそれぞれ出力される。第２端子２２ｂから基準位相で出力された高周波信号は、第３導波管型ハイブリッド回路１２の第４端子１２ｄに入力し、第３端子１２ｃから基準位相で、第２端子１２ｂから９０度遅れ位相でそれぞれ出力される。
【００６４】
第３導波管型ハイブリッド回路１２の第３端子１２ｃから基準位相で出力された高周波信号は、第５導波管型偏波変換器１３に入力し、第５導波管型偏波変換器１３で偏波を一方の方向に９０度回転させて出力され、導波管１５を介して第６導波管型偏波変換器１４に入力し、第６導波管型偏波変換器１４で偏波を他方の方向に９０度回転させて、第５導波管型偏波変換器１３に入力したときの偏波に戻し、基準位相で出力される。
【００６５】
第６導波管型偏波変換器１４から出力された基準位相の高周波信号は、ＯＭＴ４０の第３分岐端子４０ｃに入力する。
【００６６】
第３導波管型ハイブリッド回路１２の第２端子１２ｂから出力された９０度遅れ位相の高周波信号は、第７導波管型偏波変換器１７に入力し、第７導波管型偏波変換器１７で他方の方向に９０度回転させて出力され、導波管１９を介して第８導波管型偏波変換器１８に入力し、第８導波管型偏波変換器１８で更に他方の方向に９０度回転させて、第７導波管型偏波変換器１７に入力したときの偏波と１８０度反対の偏波となるので、２７０度遅れ位相で出力される。
【００６７】
第８導波管型偏波変換器１８から出力された２７０度遅れ位相の高周波信号は、ＯＭＴ４０の第４分岐端子４０ｄに入力する。
【００６８】
第４導波管型ハイブリッド回路２２の第３端子２２ｃから９０度遅れ位相で出力された高周波信号は、第２導波管型ハイブリッド回路３の第４端子３ｄに入力し、第３端子３ｃから９０度遅れ位相のままで、第２端子３ｂから更に９０度遅れて、１８０度遅れ位相で出力される。
【００６９】
第２導波管型ハイブリッド回路３の第２端子３ｂから出力された１８０度遅れ位相の高周波信号は、第１導波管型偏波変換器４に入力し、第１導波管型偏波変換器４で偏波を一方の方向に９０度回転させて出力され、導波管６を介して第２導波管型偏波変換器５に入力し、第２導波管型偏波変換器５で偏波を他方の方向に９０度回転させて、第１導波管型偏波変換器４に入力したときの偏波に戻し、１８０度遅れ位相で出力される。
【００７０】
第２導波管型偏波変換器５から出力された１８０度遅れ位相の高周波信号は、ＯＭＴ４０の第１分岐端子４０ａに入力する。
【００７１】
第２導波管型ハイブリッド回路３の第３端子３ｃから９０度遅れ位相で出力された高周波信号は、第３導波管型偏波変換器８に入力し、第３導波管型偏波変換器８で偏波を一方の方向に９０度回転させて出力され、導波管１０を介して第４導波管型偏波変換器９に入力し、第４導波管型偏波変換器９で偏波を他方の方向に９０度回転させて、第３導波管型偏波変換器８に入力したときの偏波に戻し、９０度遅れ位相のままで出力される。
【００７２】
第４導波管型偏波変換器９から出力された９０度遅れ位相の高周波信号は、ＯＭＴ４０の第２分岐端子４０ｂに入力する。
【００７３】
ＯＭＴ４０の、第３分岐端子４０ｃ、第２分岐端子４０ｂ、第１分岐端子４０ａ、第４分岐端子４０ｄに順に９０度ずつ位相が遅れた高周波信号がＯＭＴ４０に入力するので、ＯＭＴ４０に円偏波が発生する。図４においては、右回りに位相が遅れているので、紙面から見て右旋偏波が発生する。
【００７４】
この発明の実施の形態２に係るアンテナ給電回路は、高周波信号の位相変化を移相器を用いることで実施しているのではなく、特許第３８８４７２５号公報に記載の導波管型偏波変換器又はツイスト導波管等の導波管型偏波変換器を用いて高周波信号の偏波を回転させることによって実施しているので、移相器を用いる構成に比べて高周波信号の周波数特性が広帯域になる利点がある。また、導波管型ハイブリッド回路及び導波管型偏波変換器で構成されているため、２次元で回路が構成され、薄型化が可能になる利点がある。
【００７５】
この発明の実施の形態２に係るアンテナ給電回路は、受動素子である第１〜第４導波管型ハイブリッド回路、第１〜第８導波管型偏波変換器及び導波管を用いて構成しているため、可逆動作が可能であり、ＯＭＴ４０に右旋偏波の高周波信号が入力すると、第２給電端子から高周波信号が出力され、ＯＭＴ４０に左旋偏波の高周波信号が入力すると、第１給電端子から高周波信号が出力される。
【００７６】
この発明の実施の形態２に係るアンテナ給電回路は、第１導波管型偏波変換器４に入力する高周波信号の偏波と第２導波管型偏波変換器５から出力する高周波信号の偏波が等しくなるように、第１導波管型偏波変換器４の偏波の回転方向と第２導波管型偏波変換器５の偏波の回転方向とが逆になっていれば、偏波の回転の順番は、右回転及び左回転のいずれから始まっても良い。第３導波管型偏波変換器８と第４導波管型偏波変換器９との高周波信号に係る偏波の回転方向の関係、第５導波管型偏波変換器１３と第６導波管型偏波変換器１４との高周波信号に係る偏波の回転方向の関係も同様である。
【００７７】
第７導波管型偏波変換器１７と第８導波管型偏波変換器１８との関係については、第８導波管型偏波変換器１８から出力する高周波信号の偏波が、第７導波管型偏波変換器１７に入力する高周波信号の偏波と１８０度反転するように、第７導波管型偏波変換器１７と第８導波管型偏波変換器１８の偏波の回転方向が同じであれば、偏波の回転方向は、右回転及び左回転のいずれでも良い。
【００７８】
実施の形態３．
この発明の実施の形態１及び２において、第１導波管型偏波変換器４から第８導波管偏波変換器１８の偏波の回転角度は９０度としていた。この偏波の回転角度は９０度に制約されるものでは無く、第１導波管型偏波変換器４と第２導波管型偏波変換器５の回転角度の絶対値が同一で偏波の回転方向が互いに逆であれば良い。例えば、第１導波管型偏波変換器４は４５度の右回転の場合は、第２導波管型偏波変換器５は４５度の左回転であれば良い。第３導波管型偏波変換器８と第４導波管型偏波変換器９との高周波信号に係る偏波の回転方向及び回転角度の関係、第５導波管型偏波変換器１３と第６導波管型偏波変換器１４との高周波信号に係る偏波の回転方向と回転角度の関係も同様である。
【００７９】
また、第１導波管型偏波変換器４から第６導波管型偏波変換器１４の偏波の回転角度の絶対値は全て同一である必要は無く、第１導波管型偏波変換器４と第２導波管型偏波変換器５の組で偏波の回転角度の絶対値が同一、第３導波管型偏波変換器８と第４導波管型偏波変換器９の組で偏波の回転角度の絶対値が同一、第５導波管型偏波変換器１３と第６導波管型偏波変換器１４の組で偏波の回転角度の絶対値が同一であれば良い。
【００８０】
第７導波管型偏波変換器１７と第８導波管型偏波変換器１８との関係については、第７導波管型偏波変換器１７と第８導波管型偏波変換器１８の偏波の回転方向が同一であり、第８導波管型偏波変換器１８から出力する高周波信号の偏波が、第７導波管型偏波変換器１７に入力する高周波信号の偏波と１８０度反転すれば、第７導波管型偏波変換器１７と第８導波管型偏波変換器１８の偏波の回転角度の絶対値は同一である必要は無く、例えば、第７導波管型偏波変換器１７の偏波の回転角度が４５度の右回転の場合は、第８導波管型偏波変換器１８は偏波の回転角度が１３５度の右回転であれば良い。
【００８１】
図５に、この発明の実施の形態２に係るアンテナ給電回路において、第１導波管型偏波変換器４から第７導波管型偏波変換器１７の偏波の回転角度の絶対値を４５度とし、第８導波管型偏波変換器１８の偏波の回転角度の絶対値を１３５度とした場合のアンテナ給電回路の回路図を、この発明の実施の形態３に係るアンテナ給電回路の回路図として示す。この発明の実施の形態３に係るアンテナ給電回路の動作については、第１導波管型偏波変換器４から第８導波管型偏波変換器１８の偏波の回転角度の絶対値がこの発明の実施の形態２に係るアンテナ給電回路と異なる以外は、この発明の実施の形態２に係るアンテナ給電回路と同じである。
【００８２】
また、この発明の実施の形態１に係るアンテナ給電回路において、第１導波管型偏波変換器４から第７導波管型偏波変換器１７の偏波の回転角度の絶対値を４５度とし、第８導波管型偏波変換器１８の偏波の回転角度の絶対値を１３５度とした場合も、第１導波管型偏波変換器４から第８導波管型偏波変換器１８の偏波の回転角度の絶対値がこの発明の実施の形態１に係るアンテナ給電回路と異なる以外は、この発明の実施の形態１に係るアンテナ給電回路と同じである。
【００８３】
なお、この発明の実施の形態１から３において、第１導波管型ハイブリッド回路２、第２導波管型ハイブリッド回路３、第３導波管型ハイブリッド回路１２、第４導波管型ハイブリッド回路２２は、ブランチラインタイプ９０度導波管型ハイブリッド回路又はショートスロットタイプ９０度導波管型ハイブリッド回路のいずれを用いても良い。
【符号の説明】
【００８４】
１  第１給電端子、
２  第１導波管型ハイブリッド回路、
２ａ  第１端子、２ｂ第２端子、２ｃ  第３端子、２ｄ  第４端子、
３  第２導波管型ハイブリッド回路、
３ａ  第１端子、３ｂ第２端子、３ｃ  第３端子、３ｄ  第４端子、
４  第１導波管型偏波変換器、
５  第２導波管型偏波変換器、
６  導波管、
７  導波管型ローパスフィルタ、
８  第３導波管型偏波変換器、
９  第４導波管型偏波変換器、
１０  導波管、
１１  導波管型ローパスフィルタ、
１２  第３導波管型ハイブリッド回路、
１２ａ  第１端子、１２ｂ第２端子、１２ｃ  第３端子、１２ｄ  第４端子、
１３  第５導波管型偏波変換器、
１４  第６導波管型偏波変換器、
１５  導波管、
１６  導波管型ローパスフィルタ、
１７  第７導波管型偏波変換器、
１８  第８導波管型偏波変換器、
１９  導波管、
２０  導波管型ローパスフィルタ、
２１  導波管型群分波器（ＯＭＪ、主導波管）、
２１ａ  第１分岐端子、２１ｂ  第２分岐端子、
２１ｃ  第３分岐端子、２１ｄ  第４分岐端子、
２２  第４導波管型ハイブリッド回路、
２２ａ  第１端子、２２ｂ第２端子、２２ｃ  第３端子、２２ｄ  第４端子、
２３  第２給電端子、
２４、２５  終端抵抗器、
２６  主導波管、
３０  ホーンアンテナ、
４０  直交偏波分離器（ＯＭＴ、主導波管）、
４０ａ  第１分岐端子、４０ｂ  第２分岐端子、
４０ｃ  第３分岐端子、４０ｄ  第４分岐端子。
【要約】
第２端子が基準位相、第３端子が９０度遅れ位相の第１ハイブリッド回路（２）と、第１ハイブリッド回路（２）の第２端子に第１端子が接続し、第２端子が基準位相、第３端子が９０度遅れ位相の第２ハイブリッド回路（３）と、第２ハイブリッド回路（３）の第２端子の位相で出力する第１偏波変換器（４）、第２偏波変換器（５）対と、第２ハイブリッド回路（３）の第３端子の位相で出力する第３偏波変換器（８）、第４偏波変換器（９）対と、第１ハイブリッド回路（２）の第３端子に第１端子が接続し、第２端子が基準位相、第３端子が９０度遅れ位相の第３ハイブリッド回路（１２）と、第３ハイブリッド回路（１２）の第３端子の位相で出力する第５偏波変換器（１３）、第６偏波変換器（１４）対と、第３ハイブリッド回路（１２）の第２端子の位相を１８０度回転して出力する第７偏波変換器（１７）、第８偏波変換器（１８）対とを備えた。【図１】
0005832706.tif 000002
【図２】
0005832706.tif 000003
【図３】
0005832706.tif 000004
【図４】
0005832706.tif 000005
【図５】
0005832706.tif 000006